(57)【要約】【課題】音楽の各調の音を表示することで演奏を容易にすること。【解決手段】音階表示器は、調選択装置と、複数の照明装置とを有する。調選択装置は、鍵盤の鍵盤台上に配置されている。演奏者は、自分が演奏したい音楽の調を選択するために、調選択装置を使用することができる。各照明装置は、調選択装置に電気的に接続され、鍵盤楽器の鍵の1つに対応する。証明装置は、演奏者が調選択装置を所望の音楽の調に設定した後、対応する鍵の音を示す。これは、鍵盤の鍵に対応する音を演奏者に示すことができる。鍵盤楽器を学ぶことが容易になる。【選択図】  図1
0003111217.tif 000002
【実用新案登録請求の範囲】
【請求項１】
複数の白鍵および黒鍵と、それらの白鍵および黒鍵を取り付ける鍵盤台とを備える鍵盤を有する鍵盤楽器用音階表示器であって、
前記鍵盤台に取り付けられた調選択装置と、
前記調選択装置に電気的に接続された、前記鍵盤楽器の各鍵に対応する照明装置とを含み、前記照明装置が対応する鍵の音を示す、鍵盤楽器用音階表示器。
【請求項２】
前記調選択装置は、前記鍵盤台に形成されたスロットに沿って滑動可能に鍵盤台に取り付けられたノブと、
前記鍵盤台に取り付けられ、前記ノブおよび各照明装置に電気的に接続された回路板と、
長調を示すために鍵盤台上で前記スロットの上方に形成された長調表示領域と、
短調を示すために鍵盤台上で前記スロットの下方に形成された短調表示領域とを含み、
照明装置のそれぞれは、対応する鍵の音を示す液晶ディスプレーであり、
各照明装置は、前記鍵盤台上で、対応する鍵の上方に取り付けられている、請求項１に記載の鍵盤楽器用音階表示器。
【請求項３】
前記調選択装置は、前記鍵盤台に形成されたスロットに沿って滑動可能に鍵盤台に取り付けられたノブと、
前記鍵盤台に取り付けられ、前記ノブと各照明装置とに電気的に接続された回路板と、
前記鍵盤台のスロットの上方に形成された、長調を示す長調表示領域と、
前記鍵盤台上のスロットの下方に形成された、短調を示す短調表示領域とを含み、
各照明装置は２つの発光ダイオードを含み、
各照明装置の前記２つの発光ダイオードは異なる色彩であり、
対応する鍵を示す一方の発光ダイオードはドの音であり、
対応する鍵を示す他方の発光ダイオードは別の音であり、
各照明装置の発光ダイオードは対応する鍵に縦列に取り付けられ、
各照明装置は前記鍵盤上で対応する鍵の上方に取り付けられている、請求項１に記載の鍵盤楽器用音階表示器。
【考案の詳細な説明】
【技術分野】
【０００１】
本考案は、音階表示器に関し、特に、楽器演奏者にどの鍵がどの音に対応するかを示す、鍵盤楽器用音階表示器に関する。
【背景技術】
【０００２】
ピアノのような鍵盤楽器は、使用者が音楽を演奏するために押鍵する複数の鍵を備えた鍵盤を有する。一般に、鍵盤楽器の鍵は、複数の白鍵と黒鍵とを含む。各鍵は、Ｄｏ、Ｒｅ、Ｍｉ等（それぞれド、レ、ミ、ファ、ソ、ラ、シに対応する）のような音階上の１つの音または音の高低に関連している。しかし、鍵盤の各鍵は、音楽の調が異なれば、同一の音または音高には対応しない。例えば、音楽の調がＣメジャー（ハ長調）からＤ♭メジャー（変ニ長調）またはＦ♯メジャー（嬰ヘ長調）に変わると、ドという音または音高に対応する鍵盤上の鍵もまた変わる。音の位置の変化は、初歩の演奏者にとって非常に複雑である。したがって、表示装置のない従来の鍵盤は、初歩の演奏者が異なる調で演奏するには困難である。
【考案の開示】
【考案が解決しようとする課題】
【０００３】
本考案の主要目的は、鍵盤の各鍵がどの音階に対応するかを演奏者に示す表示器を提供することである。音階表示器は、調選択装置と、複数の照明装置とを有する。調選択装置は、鍵盤の台上に配置されている。演奏者は、自分が演奏したい調を選択するために調選択装置を使用することができる。各照明装置は、調選択装置に電気的に接続され、鍵盤楽器の鍵の１つに対応している。したがって、照明装置は、演奏者が所望の調に調選択装置を設定した後に、対応する調の音を示す。これは演奏者に、鍵盤上のそれぞれの鍵がどの音に対応するかを示す。鍵盤楽器の学習が、より容易になる。
【考案を実施するための最良の形態】
【０００４】
図１を参照するに、本考案に係る音階表示器は、調選択装置１０と、複数の照明装置２０とを含む。調選択装置１０は、鍵盤３０の台３２上に取り付けられている。調選択装置１０は、ノブ１２と、回路板（図示せず）とを含む。ノブ１２は、鍵盤台３２に形成されたスロット３２２に沿って滑動可能に、鍵盤台３２上に取り付けられている。長調表示領域１４は、音楽の長調を示すために鍵盤台３２上に形成されている。短調表示領域１６は、音楽の短調を示すために鍵盤台３２上に形成されている。実際には、長調表示領域１４は、スロット３２２の上方に配置され、短調表示領域１６は、スロット３２２の下方に配置される。回路板（図示せず）は、鍵盤台３２に取り付けられ、ノブ１２と各照明装置２０とに電気的に接続されている。
【０００５】
各照明装置２０は、鍵盤３０の鍵３４、３６の１つに対応している。第１実施例では、各照明装置２０は、対応する鍵３４、３６の音を示す液晶ディスプレー（ＬＣＤ）（プラズマ、薄膜ＴＦＴ）、冷光ディスプレー等である。各照明装置２０は、鍵盤台３０上の、対応する鍵３４、３６の上方にある。
【０００６】
ノブ１２がスロット３２２に沿って、メジャー（長調）表示領域１４またはマイナー（短調）表示領域１４に示された音楽の調の１つに整列する位置まで押されると、各照明装置２０は、対応する鍵３４、３６の音を示す。例えば、図１を参照すると、演奏者がＣメジャー（ハ長調）を演奏したい場合、演奏者はノブ１２をメジャー表示領域１４に表示されたＣメジャー（ハ長調）に整列するように押す。各照明装置２０は、その下方の鍵３４、３６に対応する音を示す。したがって、演奏者はＣメジャー(ハ長調)の音を演奏するために、照明装置２０の表示にしたがって鍵３４、３６を押鍵することができる。
【０００７】
図２を参照するに、ノブ１２がＤ♭メジャーまたはＡ＃マイナーに整列する位置までスロットに沿って押されると、各照明装置２０は、その下方の鍵３４、３６に対応する音を示す。演奏者は、Ｄ♭メジャーまたはＡ＃マイナーの音を弾くために、照明装置２０の表示にしたがって鍵３４、３６を押鍵することができる。したがって、初歩の演奏者は、鍵盤３０により、様々な音楽の調で正確に音楽を演奏することができる。鍵盤楽器の演奏が、より容易になる。
【０００８】
図３を参照するに、音階表示器の第２実施例において、各照明装置２０は、対応する鍵３４、３６上に取り付けられている。
【０００９】
図４を参照するに、音階表示器の第３実施例において、鍵盤３０の白鍵３４に対応する各照明装置２０は、鍵盤台３２上の対応する白鍵３４の下方に取り付けられている。盤３０の黒鍵３６に対応する各照明装置２０は、鍵盤台３２上の対応する黒鍵３６の上方に取り付けられている。さらに他の実施例では、各照明装置２０は、鍵盤台３２上の対応する鍵３４、３６の下方に取り付けられている。
【００１０】
図５及び６を参照するに、各照明装置２０は、２つの発光ダイオード（ＬＥＤ）２２、２４、すなわち、第１発光ダイオード２２と、第２発光ダイオード２４とを含む。発光ダイオード２２、２４は、対応する鍵３４、３６上に縦列に取り付けられている。２つの発光ダイオード２２、２４は、異なる色彩である。第１発光ダイオード２２は、対応する鍵３４、３６がドの音であることを示すために使用される。第２発光ダイオード２４は、対応する鍵３４、３６がその他の音
であることを示す。
【００１１】
演奏者が調選択装置１０によって、ある音楽の調を選択すると、ドの音である鍵３４、３６に対応する照明装置２０の第１発光ダイオード２２が点灯する。ドの音ではない鍵３４、３６に対応する照明装置２０の第２発光ダイオード２４が点灯する。したがって、演奏者は鍵盤のどの鍵３４、３６がドの音であるかを、音階表示器で明確に識別することができる。
【００１２】
図７を参照するに、各照明装置２０の発光ダイオード２２、２４は、鍵盤台３２上の対応する鍵３４、３６の上方に取り付けられている。音階表示器の別の実施例では、各照明装置２０の発光ダイオード２２、２４は、鍵盤台３２上で対応する鍵３４、３６の下方に取り付けられている。さらに他の実施例では、鍵盤３０の白鍵３４に対応する各照明装置２０の発光ダイオード２２、２４は、鍵盤台３２上で対応する白鍵３４の下方に取り付けられている。鍵盤３０の黒鍵３６に対応する各照明装置２０の発光ダイオード２２、２４は、鍵盤台３２上で対応する黒鍵３６の上方に取り付けられている。
【図面の簡単な説明】
【００１３】
【図１】Ｃメジャー（ハ長調）の音を示す、本考案に係る音階表示器を備えた鍵盤の概略図。
【図２】Ｄ♭メジャーまたはＡ＃マイナーの音を示す、図１の音階表示器を備えた鍵盤の概略図。
【図３】Ｃメジャーの音を示す、本考案に係る音階表示器の第２実施例による鍵盤の概略図。
【図４】Ｃメジャーの音を示す、本考案に係る音階表示器の第３実施例による鍵盤の概略図。
【図５】Ｃメジャーの音を示す、本考案に係る音階表示器の第４実施例による鍵盤の概略図。
【図６】Ｄ♭メジャーまたはＡ＃マイナーの音を示す、図５の音階表示器の第４実施例による鍵盤の概略図。
【図７】Ｃメジャーの音を示す、本考案に係る音階表示器の第５実施例による鍵盤の概略図。
【符号の説明】
【００１４】
１０    調選択装置
１２    ノブ
１４    長調表示領域
１６    短調表示領域
２０    照明装置
２２、２４    発光ダイオード
３０    鍵盤
３２    鍵盤台
３２２    スロット
３４、３６    鍵
【図１】
0003111217.tif 000003
【図２】
0003111217.tif 000004
【図３】
0003111217.tif 000005
【図４】
0003111217.tif 000006
【図５】
0003111217.tif 000007
【図６】
0003111217.tif 000008
【図７】
0003111217.tif 000009